(57)【要約】【課題】異なる設置面積に対応可能な基礎ブロックを合理的に構成する。【解決手段】コンクリート製のブロック本体の上面に支持面Ｓと、この支持面Ｓより低レベルの連結面Ｔとを形成すると共に、支持面Ｓにはブロック本体の幅方向で対称となる位置に締結ナットＮｓを埋め込み、連結面Ｔにはブロック本体の幅方向で対称となる位置に連結ナットＮｔを埋め込み、連結面Ｔの端面Ｔｓ同士を接当させた状態で連結面Ｔに連結プレート１２、１３を配置してボルト１０で連結することで基礎単位を構成する。更に、この基礎単位の連結個数の設定で基礎の大きさを任意に設定できるようにした。【選択図】図５
2008248525.tif 000002
【特許請求の範囲】
【請求項１】
上面に支持面が形成されている基礎ブロックであって、
ブロック本体の幅方向の両端部に側面が形成され、このブロック本体の上面側に前記支持面と、この支持面より低レベルとなる連結面とが形成され、
前記ブロック本体の平面視において、前記支持面には、一対の前記側面から等距離の仮想直線上、又は、この仮想直線を挟んで対称となる位置に締結部が形成されると共に、前記連結面には、前記仮想直線を挟んで対称となる位置に連結部が形成されている基礎ブロック。
【請求項２】
前記ブロック本体がコンクリート材で形成されると共に、前記締結部が、前記支持面下に埋設したナットで構成されている、又は、前記支持面から、ネジ部分が上方に突出するように、この支持面下に一部を埋設したボルトで構成されている請求項１記載の基礎ブロック。
【請求項３】
前記ブロック本体がコンクリート材で形成されると共に、前記連結部が、前記連結面下に埋設したナットで構成されている、又は、前記連結面から、ネジ部分が上方に突出するように、この連結面下に一部を埋設したボルトで構成されている請求項１又は２記載の基礎ブロック。
【請求項４】
前記支持面が平坦に形成され、前記連結面が前記支持面と平行する姿勢で平坦に形成され、この連結面のうち、前記支持面と反対側の端部において前記幅の方向での中央位置を切り欠く形状となる凹部が、この連結面に形成されている請求項１〜３のいずれか１項に記載の基礎ブロック。
【請求項５】
請求項１〜４に記載の基礎ブロックを用いた基礎構造であって、
２つの前記基礎ブロックを前記連結面の端面同士を対向させる姿勢で、かつ、前記仮想直線の方向に配置することで１つの基礎単位を構成すると共に、この基礎単位を前記幅方向に並列配置し、前記対向する位置関係の基礎ブロックの連結部と、幅方向に隣接する基礎ブロックの前記連結部との上面に連結プレートを配置し、この連結プレートと連結部との連結により複数の基礎ブロックを一体化してある基礎構造。
【請求項６】
請求項１〜４に記載の基礎ブロックを用いた基礎構造であって、
前記基礎ブロックとして寸法が異なる第１基礎ブロックと第２基礎ブロックとが用いられると共に、２つの前記第１基礎ブロックを前記連結面の端部同士を対向させる姿勢で、かつ、前記仮想直線の方向に配置し、前記連結面において連結することでコージェネシステムの発電ユニットの基礎とし、２つの前記第２基礎ブロックを前記連結面の端面同士を対向させる姿勢で、かつ、前記仮想直線の方向に配置して基礎単位を構成し、この基礎単位を、前記幅方向に並列配置し、夫々の基礎単位を構成する第２基礎ブロックを前記連結面において連結することによりコージェネシステムの貯湯ユニットの基礎とする基礎構造。
【発明の詳細な説明】
【技術分野】
【０００１】
本発明は、上面に支持面が形成されている基礎ブロック及び基礎ブロックを用いた基礎構造に関し、詳しくは、装置類を支持するための基礎として地面上に設置される基礎ブロックに関する。
【背景技術】
【０００２】
上記のように構成された基礎ブロックとしては、地面上に平面視でＬ状となる２つの基礎ブロックを重なり合わないように配置すると共に、これと同様に配置した２枚の基礎ブロックを重ねるように積み上げ、上側基礎ブロックに貫通して下側の基礎ブロックに達するアンカーボルト孔を電気温水器の位置に対応して穿設し、このアンカーボルト孔にアンカーボルトを挿入して上下の基礎ブロックを連結固定するものが存在する（例えば、特許文献１参照）。
【０００３】
また、基礎ブロックに関連する技術として、地面に水平に配置される台座（板状体）と、この台座の上方に積層される複数のブロック単位とを備え、台座の上面には複数の嵌合凸起部が形成され、ブロックユニットの底面には位置決め手段として嵌合凹部と嵌合凹片とが形成され、台座に複数のブロックユニットを重ね、このブロックユニットを上方から下方に貫通するボルトと、嵌合凸起部のインサートナットに螺合して固定するものが存在する（例えば、特許文献２参照）。
【０００４】
【特許文献１】特開２００５‐３５１０１０号公報  （段落番号〔００１２〕〜〔００１６〕、図１〜図３）
【特許文献２】特開２００５‐２４８６０３号公報  （段落番号〔００２５〕、〔００２６〕、図１〜図７）
【発明の開示】
【発明が解決しようとする課題】
【０００５】
発電ユニットと貯湯ユニットとを備えたコージェネシステムの基礎を考えると、特許文献１や特許文献２に示されるもののように、決まった構造の複数のブロックを組み合わせて基礎を構築するものが作業を容易にする。つまり、決まった構造のブロックを用いるものは、コンクリートを打設して基礎を構築するものと比較して、型枠を必要とせず、コンクリートを使用する場合でも使用量が少なくて済み、しかも、基礎の面積に対応したサイズの単一のブロックを用いるものと比較して１つのブロックが軽量化するため取り扱いが容易になると云う良好な面を有している。
【０００６】
コージェネシステムを例に挙げると、発電ユニットの発電容量や、貯湯ユニットの貯湯量に複数の種類が存在するのが普通であり、設置面積も異なっている。従って、このような複数種の設置面積に対応するためにはサイズが異なるブロックを用いる必要に繋がるものである。しかしながら、設置面積が異なるものについて対応したサイズのブロックを用いるものでは、複数種のサイズのブロックを製造しなくてはならず、ブロックを製造する際の工程を複雑化する点において改善の余地がある。
【０００７】
そこで、設置面積が大きいサイズのユニットの基礎として使用可能となる比較的大型のブロックを用いることも考えられるが、この種のブロックを設置面積が小さいユニットの基礎として用いた場合には、基礎（ブロックの端部）が不必要に張り出すことから設置障害となることも考えられた。
【０００８】
本発明の目的は、異なる設置面積にも対応可能な基礎ブロックを合理的に構成する点にある。
【課題を解決するための手段】
【０００９】
本発明の特徴は、上面に支持面が形成されている基礎ブロックにおいて、
ブロック本体の幅方向の両端部に側面が形成され、このブロック本体の上面側に前記支持面と、この支持面より低レベルとなる連結面とが形成され、前記ブロック本体の平面視において、前記支持面には、一対の前記側面から等距離の仮想直線上、又は、この仮想直線を挟んで対称となる位置に締結部が形成されると共に、前記連結面には、前記仮想直線を挟んで対称となる位置に連結部が形成されている点にある。
【００１０】
この構成によると、一対の基礎ブロックの一方を平面視において１８０度回転させ、連結面の端部同士を対向させ、仮想直線の方向に沿って基礎ブロックを配置し、連結面の連結部同士の上面にプレート等を配置し、このプレート等を連結部に連結することで、一対の基礎ブロックを一体化して基礎として利用できる。このように基礎ブロックを連結する際には、平面視において連結面の端面同士が対向するラインを挟む位置に（対称となる位置に）、連結部が配置されるので連結構造が容易となる。これと同様に、平面視において連結面の端面同士が対向するラインを挟む位置に（対称となる位置に）締結部が配置されるので、この締結部においてコージェネシステム等の装置類を締結支持できる。特に、連結面が支持面より低レベルに形成されているのでプレート等を用いて連結した場合にも、このプレート等を支持面より上方に突出させることない。更に、平面視で連結面の端面同士を対向させて配置した一対の基礎ブロックを１基礎単位として、複数の基礎単位をブロック本体の幅の方向（仮想直線と直交する方向）に並列的に配置し、夫々の基礎ブロックを連結部において連結することで複数のブロック本体を一体化したものを基礎として使用できる。このように、異なる設置面積にも対応可能な基礎ブロックが合理的に構成された。
【００１１】
本発明は、前記ブロック本体がコンクリート材で形成されると共に、前記締結部が、前記支持面下に埋設したナットで構成されている、又は、前記支持面から、ネジ部分が上方に突出するように、この支持面下に一部を埋設したボルトで構成しても良い。これによると、例えば、装置類を支持する場合でも、ブロック本体に埋設したナットにボルトを螺合させることや、ブロック本体から突出するボルトのネジ部分にナットを螺合させることで済み、作業が容易となる。
【００１２】
本発明は、前記ブロック本体がコンクリート材で形成されると共に、前記連結部が、前記連結面下に埋設したナットとで構成されている、又は、前記連結面から、ネジ部分が上方に突出するように、この連結面下に一部を埋設したボルトで構成しても良い。これによると、ブロック本体同士を連結するためにプレート等を用いる場合でも、ブロック本体に埋設したナットにボルトを螺合させることや、ブロック本体から突出するボルトのネジ部分にナットを螺合させることで済み、作業が容易となる。
【００１３】
本発明は、前記支持面が平坦に形成され、前記連結面が前記支持面と平行する姿勢で平坦に形成され、この連結面のうち、前記支持面と反対側の端部において前記幅の方向での中央位置を切り欠く形状となる凹部を、この連結面に形成しても良い。これによると、ブロック本体に凹部が形成されることにより、ブロック本体の重量を軽減できるばかりでなく、平面視において連結面の端部同士を対向させて仮想直線の方向に沿ってブロック本体を配置する場合には、作業を行う者が凹部に手や差し込むことや、工具類を挿入することを容易に行え、作業性を高めるものとなる。
【００１４】
本発明の特徴は、請求項１〜４に記載の基礎ブロックを用いた基礎構造において、
２つの前記基礎ブロックを前記連結面の端面同士を対向させる姿勢で、かつ、前記仮想直線の方向に配置することで１つの基礎単位を構成すると共に、この基礎単位を前記幅方向に並列配置し、前記対向する位置関係の基礎ブロックの連結部と、幅方向に隣接する基礎ブロックの前記連結部との上面に連結プレートを配置し、この連結プレートと連結部との連結により複数の基礎ブロックを一体化した点にある。
【００１５】
この構成によると、平面視で連結面の端面同士を対向させて配置した一対のブロックを１つの基礎単位として、複数の基礎単位をブロック本体の幅の方向（仮想直線と直交する方向）に並列的に配置し、夫々の連結面の連結部の上面にプレート等を配置し、このプレート等を連結部に連結して複数のブロック本体を一体化することによって基礎構造を構成できる。特に、平面視において複数のブロック本体の連結時には、夫々のブロック本体が逆向きの姿勢（１８０度回転させた姿勢）となるものの、夫々のブロック本体の支持面の締結部は仮想直線上に配置されているので、複数の基礎単位を用いる場合でも、平面視において夫々の締結部を結ぶラインは矩形となり装置類を支持する際にも無理がない。従って、異なる設置面積に対応可能な基礎構造が得られた。
【００１６】
本発明の特徴は、請求項１〜４に記載の基礎ブロックを用いた基礎構造において、
前記基礎ブロックとして寸法が異なる第１基礎ブロックと第２基礎ブロックとが用いられると共に、２つの前記第１基礎ブロックを前記連結面の端部同士を対向させる姿勢で、かつ、前記仮想直線の方向に配置し、前記連結面において連結することでコージェネシステムの発電ユニットの基礎とし、２つの前記第２基礎ブロックを前記連結面の端面同士を対向させる姿勢で、かつ、前記仮想直線の方向に配置して基礎単位を構成し、この基礎単位を、前記幅方向に並列配置し、夫々の基礎単位を構成する第２基礎ブロックを前記連結面において連結することによりコージェネシステムの貯湯ユニットの基礎とする点にある。
【００１７】
この構成によると、寸法が異なる２種の第１基礎ブロックと第２基礎ブロックとのうち、第１基礎ブロックを２つ連結することによりコージェネシステムの発電ユニットを支持する基礎を構築でき、また第２基礎ブロックを２つ用いて構成される基礎単位を複数並列配置して連結することでコージェネシステムの貯湯ユニットを支持する基礎を構築できる。これにより、発電ユニットと貯湯ユニットとの大きさに対応した適正な大きさの基礎を構築することが可能となる。従って、異なる設置面積に対応可能な基礎構造が得られた。
【発明を実施するための最良の形態】
【００１８】
以下、本発明の実施形態を図面に基づいて説明する。
〔全体構成〕
図１に示すように、前記コージェネシステムは、エンジン（図示せず）によって発電機を駆動する発電ユニットＡと、この発電ユニットＡのエンジン排熱によって加熱された温水を貯留する貯湯タンク（図示せず）を有する貯湯ユニットＢとが基礎構造Ｃに支持されている。
【００１９】
前記基礎構造Ｃは発電ユニットＡを支持するため２つの第１基礎ブロックＥ１と、貯湯ユニットＢを支持するため６つの第２基礎ブロックＥ２とを備えている。第１基礎ブロックＥ１と第２基礎ブロックＥ２とは寸法が異なるものの、基本的に共通する構造を有しており、第１基礎ブロックＥ１と第２基礎ブロックＥ２との上位概念を基礎ブロックＥと称する。尚、図中の３５は、エンジンの排熱で加熱された熱媒体を貯湯ユニットＢに供給するチューブである。
【００２０】
図１にはコージェネシステムを支持する基礎構造Ｃを示しているが、本発明の基礎構造Ｃはコージェネシステムを支持するために構築される基礎に限らず、例えば、エアーコンディショナの屋外設置型の熱交換部を支持するものや、近年開発されつつある燃料電池型の発電システム等のように屋外設置型の機器を支持するために構築される基礎として使用しても良い。
【００２１】
〔第１基礎ブロック〕
前記第１基礎ブロックＥ１は、図２に示すように寸法関係が幅Ｐ、長さＱ、高さＲとなるコンクリート製のブロック本体の上面側に平坦な支持面Ｓと、平坦な連結面Ｔが形成されている。連結面Ｔは前記支持面Ｓに隣接する位置において、支持面Ｓより高さＲ方向で寸法Ｒａだけ低レベルで形成されている。この連結面Ｔのうち、前記支持面と反対側の端部において幅Ｐの方向での中央位置を切り欠く形状となる凹部ＴＣが形成されている。このように幅Ｐの方向での中央位置に凹部ＴＣが形成されることにより、外見上で連結面Ｔが幅Ｐの方向での両端部となる２箇所に配置されることになる。
【００２２】
この第１基礎ブロックＥ１は、前記幅Ｐの方向での端部位置に縦向き姿勢で平坦な側面Ｕが形成され、平面視において側面Ｕから等距離となる仮想直線Ｌを想定すると、前記支持面Ｓには平面視において、前記仮想直線Ｌを挟んで対称となる位置の２箇所に締結部としての締結ナットＮｓが埋設されると共に、この締結ナットＮｓより仮想直線Ｌの方向には、仮想直線Ｌを挟んで対称となる位置には支持面Ｓから底面Ｖまで貫通する貫通孔Ｈが形成されている。
【００２３】
また、前記連結面Ｔには平面視において、仮想直線Ｌを挟んで対称となる位置に連結部として一対ずつの連結ナットＮｔが埋設されている。この一対の連結ナットＮｔは幅方向に並列配置され、外端側（側面Ｕに近い側）のものは、図２（ｂ）に示すように、平面視において支持面Ｓと反対側の端部からの距離Ｄ１で、側面から距離Ｄ２の位置に配置されている。
【００２４】
この第１基礎ブロックＥ１では、前記幅Ｐが６７０ｍｍ程度、長さＱが２２０ｍｍ程度、高さＲが１３０ｍｍ程度であり、前記締結ナットＮｓと連結ナットＮｔとは１０ｍｍ程度の同じネジ径のものが用いられている。
【００２５】
そして、図４に示す如く、一対の第１基礎ブロックＥ１、Ｅ１の一方を平面視で１８０度回転させ、連結面Ｔの端面Ｔｓ同士を接当させ、連結面Ｔの上面に鉄材やステンレス材等の金属製の第１連結プレート１１を載せ付け、この第１連結プレート１１の貫通孔に挿通したボルト１０を前記連結ナットＮｔに螺合させ、締め付けることで一対の第１基礎ブロックＥ１が一体化する。このように一対の基礎ブロックＥ、Ｅを配置したものが本発明の基礎単位となる。
【００２６】
このように一対の第１基礎ブロックＥ１、Ｅ１を連結することにより、一対の第１基礎ブロックＥ１夫々の前記締結ナットＮｓが、連結面Ｔの端面Ｔｓを挟んで対称となる位置に配置され、平面視で４つの締結ナットＮｓを結ぶライン（図示せず）が矩形となる。
【００２７】
〔第２基礎ブロック〕
前記第２基礎ブロックＥ２は、図３に示すように寸法関係が幅Ｘ、長さＹ、高さＺとなるコンクリート製のブロック本体の上面側に平坦な支持面Ｓと、平坦な連結面Ｔが形成されている。連結面Ｔは前記支持面Ｓに隣接する位置において支持面Ｓより高さＺ方向で寸法Ｚａだけ低レベルで形成されている。この連結面Ｔのうち、前記支持面Ｓと反対側の端部において幅Ｘの方向での中央位置を切り欠く形状となる凹部ＴＣが形成されている。このように幅Ｘの方向での中央位置に凹部ＴＣが形成されることにより、外見上で連結面Ｔが幅Ｘの方向での両端部となる２箇所に配置されることになる。
【００２８】
この第２基礎ブロックＥ２は、前記幅Ｘの方向での端部位置に縦向き姿勢で平坦な側面Ｕが形成され、平面視において側面Ｕから等距離となる仮想直線Ｌを想定すると、前記支持面Ｓには平面視において、前記仮想直線Ｌを挟んで対称となる位置の２箇所に締結部としての締結ナットＮｓが埋設されると共に、この締結ナットＮｓが埋設された位置より反連結面側での仮想直線Ｌ上に管理用固定部として管理ナットＮｃが埋設されている。また、この第２基礎ブロックＥ２においの底面Ｖの側には係合孔ｈが形成されている。
【００２９】
前記連結面Ｔには平面視において、仮想直線Ｌを挟んで対称となる位置に連結部として連結ナットＮｔが埋設されている。この一対の連結ナットＮｔは、図３（ｂ）に示すように、平面視において支持面Ｓと反対側の端部からの距離Ｄ１で、側面から距離Ｄ２の位置に配置されている。この距離Ｄ１と距離Ｄ２とは第１基礎ブロックＥ１において先に説明した距離Ｄ１と距離Ｄ２の距離と一致する
【００３０】
この第２基礎ブロックＥ２では、前記幅Ｘが３３０ｍｍ程度、長さＹが３２０ｍｍ程度、高さＺが１３０ｍｍ程度であり、前記締結ナットＮｓと、管理ナットＮｃと連結ナットＮｔとは１０ｍｍ程度の同じネジ径のものが用いる。尚、この３種の締結ナットＮｓ、Ｎｃ、Ｎｔのネジ径は前記第１基礎ブロックＥ１における２種の締結ナットＮｓ、Ｎｔのネジ径と一致する。
【００３１】
そして、図５に示す如く一対の第２基礎ブロックＥ２、Ｅ２のうち一方を平面視で１８０度回転させ、連結面Ｔの端面Ｔｓを接当させ、連結することで、この一対の第２基礎ブロックＥ２、Ｅ２を基礎単位としている。この基礎単位を幅Ｘの方向に並列配置し、夫々を連結することにより第２基礎ブロックＥ２が一体化する。
【００３２】
更に、この基礎単位となる第２基礎ブロックＥ２の側面Ｕ同士が接触するように第２基礎ブロックＥ２を並列配置し、これら複数の第２基礎ブロックＥ２の連結面Ｔのうち、幅Ｘの方向で外端に位置する連結面Ｔの上面に鉄材やステンレス材等の金属製の第２連結プレート１２を載せ付け、この第２連結プレート１２の貫通孔に挿通したボルト１０を連結ナットＮｔに螺合させて締め付け、第２基礎ブロックＥ２の隣り合う位置の連結面Ｔの上面に鉄材やステンレス材等の金属製の第３連結プレート１３を載せ付け、この第３連結プレート１３の貫通孔に挿通したボルト１０を連結ナットＮｔに螺合させて締め付けることにより、複数の第２基礎ブロックＥ２が一体化する。
【００３３】
このように一対の第２基礎ブロックＥ２、Ｅ２を連結することにより、一対の第２基礎ブロックＥ２、Ｅ２夫々の前記締結ナットＮｓが、連結面Ｔの端面Ｔｓを挟んで対称となる位置に配置され、平面視で複数の締結ナットＮｓを結ぶライン（図示せず）が矩形となる。
【００３４】
〔設置手順・地面〕
本発明の基礎構造Ｃを地面Ｇに構築する際の手順の一例を図６のフローチャートに示している。この手順では最初に地面Ｇを掘削し、図７（ａ）、（ｂ）に示すように、この掘削部分にグリ石２１を布設して地面を固めた後にモルタル２２を打設する（＃１０１、＃１０２ステップ）。
【００３５】
このステップは地面を固める地業の一例を示したものであり、グリ石を用いることは必須ではなく、グリ石と砂利を併せて用いることや、砂利だけを用いることや、ランマーを用いて地面を突き固める作業だけであっても良い。
【００３６】
次に、図７（ｂ）に示すように、モルタル２２の上面に平坦な基準板２３を密着させ、この基準板２３の傾斜量を水準器等で計測してモルタル２２の上面の傾斜の調整を行う等のレベル出しを行い、必要とする水平が得られた後に基礎ブロックＥ１、Ｅ２を配置する（＃１０３、＃１０４ステップ）。
【００３７】
このステップでは、水平を得るために、先に打設したモルタルの上面を成形することや、モルタルの一部を取り除くことや、モルタルを更に加える作業形態になる。また、第２基礎ブロックＥ２の設置数は、貯湯ユニットＢの設置面積に対応した数になる。
【００３８】
次に、図７（ｃ）及び図４、図５に示すように、これらの基礎ブロックＥ１、Ｅ２を前記第１連結プレート１１、第２連結プレート１２、第３連結プレート１３にボルト１０を挿通し、対応するナットに軽く螺合する仮連結の状態で夫々の基礎ブロックＥ１、Ｅ２の支持面Ｓの傾斜量を水準器等で計測して、この傾斜量の調整を行うレベル出しを行い、必要とする水平が得られた後に、前記ボルト１０を締め付ける本連結固定を行い、第１基礎ブロックＥ１の支持面Ｓに発電ユニットＡを設置し、第２基礎ブロックＥ２の支持面Ｓに貯湯ユニットＢを設置する（＃１０５〜＃１０８ステップ）。
【００３９】
このように基礎ブロックＥ（第１基礎ブロックＥ１と第２基礎ブロックＥ２との上位概念）の支持面Ｓにユニット（発電ユニットＡと貯湯ユニットＢとの上位概念）を設置した状況の具体例として、第２基礎ブロックＥ２の支持面Ｓに貯湯ユニットＢを支持するものでは、図８のように貯湯ユニットＢの底部の連結片３１に貫通するボルト３２を締結ナットＮｓに螺合させて締め付ける作業が行われる。
【００４０】
また、支持面Ｓにセットした配線支持用のブラケット３３に挿通するボルト３２を前記管理ナットＮｃに螺合させて締め付けることでこのブラケット３３に配線３４を支持できる。同図に示す如く、第２基礎ブロックＥ２の連結面Ｔの上方に形成される空間には発電ユニットＡから貯湯ユニットＢに熱媒体を送るチューブ３５を配置できる。図面には示していないが、第１基礎ブロックＥ１の支持面Ｓに対して支持用のブラケットを備え、そのブラケットに配線を支持することや、この第１基礎ブロックＥ１の連結面Ｔの上方に形成される空間に対してチューブ類を配置しても良い。
【００４１】
尚、第１基礎ブロックＥ１、あるいは、第２基礎ブロックＥ２を設置する際には、前記締結ナットＮｓや連結ナットＮｔに図５に示すハンドル１６のネジ部１６Ａを螺合させることにより、作業を行う者がハンドル１６を握るにことよって第１基礎ブロックＥ１、あるいは、第２基礎ブロックＥ２を設置する際の取り扱い性が向上する。
【００４２】
このように基礎ブロックＥ１、Ｅ２をモルタル２２の上面に設置する際において、基礎ブロックＥ１、Ｅ２の底面Ｖに形成された貫通孔Ｈあるいは係合孔ｈに嵌り込むアンカーボルト等をモルタル２２に埋め込み、このアンカーボルト等の上端を貫通孔Ｈあるいは係合孔ｈに嵌め込むことにより位置決めを行っても良い。
【００４３】
〔設置手順・コンクリート面〕
本発明の基礎構造Ｃを、傾斜したコンクリートＤの上面に構築する際の手順を図９のフローチャートに示している。この手順では最初にコンクリートＤに穿設した孔部にアンカーボルト４１を固定し、図１０（ａ）に示すように、コンクリートＤの上面にモルタル２２を打設し、このモルタル２２の上面に平坦な基準板２３を密着させ、この基準板２３の傾斜量を水準器等で計測してモルタル２２の上面の傾斜の調整を行う等のレベル出しを行（＃２０１〜＃２０３ステップ）。
【００４４】
同図に示すアンカーボルト４１はアンカー部４１Ａとボルト部４１Ｂとを有し、ボルト４１Ｂの回転操作によって、アンカー部４１Ａの径を拡大して孔部に固定するものを示しているが、孔部にアンカーボルト４１を打ち込むもの単純なものであっても良い。
【００４５】
このようにコンクリートＤの上面にモルタル２２を打設する作業はコンクリートＤの上面が例えば、家屋の周囲に形成された「犬走り」のように傾斜するものや、コンクリートＤの上面が適正な水平状態でない場合に行われる作業であり、コンクリートＤの上面が適正な水平状態であれば行う必要がない。
【００４６】
図１０に示すように、傾斜したコンクリートＤの上面に打設したモルタル２２のレベル出しを行う場合には、ボルト部４１Ｂに螺合させたナット４２（ダブルナットを用いることが好ましい）の上面にワッシャ４３を配置しておき、ナット４２の上下位置の調節によってワッシャ４３の上面をモルタル２２の上面に一致させることになる。
【００４７】
また、コンクリートＤの上面（コンクリート面）のうち傾斜面の低い側に配置される第１基礎ブロックＥ１の底面Ｖに形成された貫通孔Ｈ、あるいは、コンクリート面のうち傾斜面の低い側配置される第２基礎ブロックＥ２の底面Ｖに形成された係合孔ｈと対応する位置に前記アンカーボルト４１が配置される。
【００４８】
次に、基礎ブロックＥ１、Ｅ２をモルタル２２の上面に配置する。このように配置する際には、アンカーボルト４１の上端が貫通孔Ｈ、係合孔ｈに挿入される。そして、前記第１連結プレート１１、第２連結プレート１２、第３連結プレート１３にボルト１０を挿通し、対応するナットに螺合させ、このボルト１０を締め付ける本連結固定を行い、第１基礎ブロックＥ１の支持面Ｓに発電ユニットＡを設置し、第２基礎ブロックＥ２の支持面Ｓに貯湯ユニットＢを設置する（＃２０４〜＃２０６ステップ）。
【００４９】
このように基礎ブロックＥ（第１基礎ブロックＥ１と第２基礎ブロックＥ２との上位概念）の支持面Ｓにユニット（発電ユニットＡと貯湯ユニットＢとの上位概念）を設置する際の具体例は、地面に対する設置手順において先に説明したものと同じであり、ブラケット３３に配線３４を支持することや、チューブ３５の配置位置も先に説明したものと同様となる。
【００５０】
前述した基礎構造のように、発電ユニットＡを支持するため２つの第１基礎ブロックＥ１を連結した構造と、貯湯ユニットＢを支持するために複数の第２基礎ブロックＥ２を連結した構造とを分離して配置したものでは、夫々の構造が分離しているので、相対的な配置の精度を高くしなくとも、発電ユニットＡと貯湯ユニットＢとを支持できる良好な面を有する。しかしながら、発電ユニットを支持するため２つの第１基礎ブロックＥ１を連結した構造と、貯湯ユニットＢを支持するために複数の第２基礎ブロックＥ２とを連結することによって耐震性を高めても良い。
【００５１】
図面には示していないが、第１基礎ブロックＥ１と第２基礎ブロックＥ２とを連結する場合には、第１基礎ブロックＥ１と第２基礎ブロックＥ２とを近接させ、第１基礎ブロックＥ１と第２基礎ブロックＥ２とに亘って前記第３連結プレート１３を載せ付け、この第３連結プレート１３の貫通孔に挿通したボルト１０を第１基礎ブロックＥ１の連結面Ｔの連結ナットＮｔに螺合させ、第２基礎ブロックＥ２の連結面Ｔの連結ナットＮｔ螺合させることにより、第１基礎ブロックＥ１と第２基礎ブロックＥ２とが一体化する。この連結は、前述した距離Ｄ１と距離Ｄ２とを第１基礎ブロックＥ１と第２基礎ブロックＥ２とにおいて一致させているために可能となる。第３連結プレート１３は第１連結プレート１１２と共通化でき、さらには、発電ユニットＡと貯湯ユニットＢの基礎を連結する際の連結プレートとして使用することが可能である。
【００５２】
このように本発明の基礎ブロックＥは、支持面Ｓと連結面Ｔとの間に段状のレベル差を形成しているので、連結面Ｔに対して第１連結プレート１１、１２、１３を載置し、ボルト１０で連結することにより、複数の基礎ブロックＥを一体化して基礎構造を構築できる。また、本発明では一対の基礎ブロックＥの一方を１８０度回転させて連結したものを基礎単位としている。従って、この基礎単位を１つ用いることや、複数連結することによりユニット等の支持する機器の設置面積に対応した基礎構造を構築できる。本発明では基礎ブロックの支持面Ｓに形成される締結部を幅方向で対称となる位置に配置したことにより、平面視で基礎ブロックの姿勢を１８０度を回転させて連結した場合にも接触面を挟んで対称となる位置に締結部の位置が配置されることになり、平面視で矩形となる領域にユニットや装置類を支持できるものにしている。
【００５３】
特に、支持面Ｓより連結面Ｔを低レベルに形成しているので、この連結面Ｔに連結プレート１１、１２、１３を載せ付けて連結した場合にも、この連結プレート１１、１２、１３が支持面Ｓより上方に突出する不都合を回避して、平坦な支持面Ｓを用いてユニットや機器の支持を行えるものにしており、しかも、この連結面Ｔの上面が凹状の溝状に形成されるので、この連結面Ｔの上方に形成される空間を有効に利用してチューブ類を配置できるものにしている。
【００５４】
〔別実施形態〕
本発明は、上記した実施の形態以外に以下のように構成しても良い。
【００５５】
（ａ）支持面に形成される締結部としてブロック本体にボルトの一部を埋設することにより支持面から上方にボルトを突設しても良い。
【００５６】
（ｂ）連結面に形成される連結部としてブロック本体にボルトの一部を埋設することにより連結面から上方にボルトを突設しても良い。
【００５７】
（ｃ）発電ユニットＡと貯湯ユニットＢのように２つのユニットを備えたものであっても、例えば、第２基礎ブロックＥ２のみの組み合わせによって、２つのユニットに対応した基礎を構築するように構成しても良い。このように１種類の基礎ブロックの組み合わせで基礎を構築するものでは、複数種の基礎ブロックを製造する際の煩雑さを解消し、基礎を構築する際の作業が一層単純化する。
【図面の簡単な説明】
【００５８】
【図１】地面に設置されたコージェネシステムを示す側面図
【図２】第１基礎ブロックを斜視方向と平面方向と側面方向とから示した図
【図３】第２基礎ブロックを斜視方向と平面方向と側面方向とから示した図
【図４】第１基礎ブロックの連結状況を示す斜視図
【図５】第２基礎ブロックの連結状況を示す斜視図
【図６】地面に対する設置手順を示すフローチャート
【図７】地面に対する設置手順を順次示す図
【図８】地面に設置された第２基礎ブロックを示す断面図
【図９】コンクリートの上面に対する設置手順を示すフローチャート
【図１０】コンクリートの上面に対する設置手順を順次示す図
【符号の説明】
【００５９】
１１          連結プレート
１２、１３    連結プレート
Ｅ１          第１基礎ブロック
Ｅ２          第２基礎ブロック
Ｌ            仮想直線
Ｎｓ          締結部（締結ナット）
Ｎｔ          連結部（連結ナット）
Ｓ            支持面
Ｔ            連結面
Ｔｓ          端面
ＴＣ          凹部
Ｕ            側面
【図１】
2008248525.tif 000003
【図２】
2008248525.tif 000004
【図３】
2008248525.tif 000005
【図４】
2008248525.tif 000006
【図５】
2008248525.tif 000007
【図６】
2008248525.tif 000008
【図７】
2008248525.tif 000009
【図８】
2008248525.tif 000010
【図９】
2008248525.tif 000011
【図１０】
2008248525.tif 000012